(57)【要約】【課題】庫内の温度制御を可能とし、危険物の品質管理に適する危険物貯蔵庫を提供する。【解決手段】消防法で定められる危険物を貯蔵するための危険物貯蔵庫は、危険物を貯蔵するための第一の区画と、第一の区画と間仕切り壁を隔てて隣接した第二の区画とを備え、第二の区画は、間仕切り壁に設けられた通気口を介して第一の区画と通気可能に配置され、外部に設置される室外熱交換器との間で冷媒を循環させる室内熱交換器及び該室内熱交換器からの空気を通気口を介して第一の区画に送るファンを収容する。【選択図】図１
2020197078.tif 000002
【特許請求の範囲】
【請求項１】
消防法で定められる危険物を貯蔵するための危険物貯蔵庫において、
前記危険物を貯蔵するための第一の区画と、
前記第一の区画と間仕切り壁を隔てて隣接した第二の区画とを備え、
前記第二の区画は、前記間仕切り壁に設けられた通気口を介して前記第一の区画と通気可能に配置され、
前記第二の区画は、外部に設置される室外熱交換器との間で冷媒を循環させる室内熱交換器及び該室内熱交換器からの空気を前記通気口を介して前記第一の区画に送るファンを収容することを特徴とする危険物貯蔵庫。
【請求項２】
前記通気口に防火ダンパーが設置されることを特徴とする請求項１に記載の危険物貯蔵庫。
【請求項３】
前記通気口は前記間仕切り壁に二箇所に設けられ、前記通気口の一方は、前記通気口の他方より高い位置に設けられることを特徴とする請求項１又は２に記載の危険物貯蔵庫。
【請求項４】
前記室内熱交換器は、前記第二の区画内で、前記通気口の一方より低く、前記通気口の他方よりも高い位置に設置され、前記室内熱交換器の上部に前記ファンが設置されることを特徴とする請求項３に記載の危険物貯蔵庫。
【請求項５】
前記第一の区画内の温度を測定する温度センサと、
前記温度センサにより測定される温度に基づいて、前記ファンの風量を制御する制御装置とを備えることを特徴とする請求項１乃至４のいずれかに記載の危険物貯蔵庫。
【請求項６】
前記制御装置は、前記危険物貯蔵庫の外部に設置される筐体内に収容され、前記第一の区画内に設置された前記温度センサと有線接続又は無線接続することを特徴とする請求項５に記載の危険物貯蔵庫。
【請求項７】
前記第一の区画を開閉する扉と、
前記扉を施錠する電気錠と、
所定の認証動作を実行し、認証結果に基づいて前記電気錠の施錠又は解錠操作を行う認証端末を備えることを特徴とする請求項６に記載の危険物貯蔵庫。
【請求項８】
前記認証結果及び前記電気錠の施錠及び解錠を記録する監視装置が前記筐体内に収容され、前記監視装置は、前記電気錠と前記認証端末と有線接続又は無線接続することを特徴とする請求項７に記載の危険物貯蔵庫。
【発明の詳細な説明】
【技術分野】
【０００１】
本発明は、消防法で定められる危険物を貯蔵する危険物貯蔵庫に関する。
【背景技術】
【０００２】
消防法上の危険物を所定の指定数量以上貯蔵する場合は、各種法令による基準を満たした危険物貯蔵庫に保管する必要がある。
【０００３】
消防法上の危険物は、その種類に応じて、第１類から第６類までに分類されており、例えば、そのうちの第４類に分類される引火性液体（例えば、アルコール、ガソリン、灯油などの可燃性及び揮発性を有する液体）を一定量（例えば、指定数量の1/5倍〜10倍）貯蔵するには、火災予防条例などの法令の耐火性や換気性などに関する基準を満たした危険物貯蔵庫に保管する必要がある。
【０００４】
また、香料などの食品添加物も化学物質であることから、消防法の危険物の規制を受ける場合がある。さらには、医薬品や化粧品の原料には、アルコール類など消防法の危険物に分類されるものもあり、危険物貯蔵庫でも保管が義務付けられる。
【０００５】
危険物貯蔵庫は、コンクリート構造の建築物として、設置場所に建設することも可能であるが、指定数量1/5倍〜10倍の比較的小規模の貯蔵の場合には、床面積１坪〜３坪程度の鉄骨構造のものが普及している。この鉄骨構造の危険物貯蔵庫は、工場においては、まず、溶接などにより鉄骨部品の骨組みを形成した後、床面、天井面、壁面に鋼板を取り付け、必要な設備（換気扇や照明など）を付帯させて生産される。そして、工場で完成品として生産された後、設置場所に運搬されて所定位置に設置される。工場生産とすることで、運搬可能なサイズに限定されるが、安定した品質を担保し、工期を短縮することができ、コストの削減も図られる。
【０００６】
また、床をコンクリート構造とする構成も提案されているが（例えば特許文献１及び特許文献２）、この構造においても、工場で生産された後、トラックで運搬されて、設置位置に設置される。
【０００７】
さらに、工場生産ではなく、屋内の設置場所で床ユニット、壁パネル、天井ユニットなどの部品を組み立てることで、危険物貯蔵庫を完成させ、屋内に設置する構成についても提案されている（特許文献３）。また、人力では持ち上げられない程度の重量の貯蔵物の入出庫作業を容易且つ安全に行うことを可能とするジブクレーンを内蔵する危険物貯蔵庫も提案されている（特許文献４）。
【先行技術文献】
【特許文献】
【０００８】
【特許文献１】特開２００６−２３８１号公報
【特許文献２】特開２０１２−１３２２１６号公報
【特許文献３】特開２０１０−１８０６６４号公報
【特許文献４】特開２０１４−０７４３０３号公報
【発明の概要】
【発明が解決しようとする課題】
【０００９】
危険物貯蔵庫に保管・貯蔵される危険物の中には、適切に温度管理されて保管することが必要なものもある。例えば、食品添加物や医薬品の原料となる消防法上の危険物に該当する化学物質は、品質管理の側面から所定の温度範囲内での保管が要請される。しかしながら、例えば、夏の高い外気温の環境下では、危険物貯蔵庫内はその上限温度を超えてしまうおそれもあり、危険物貯蔵庫内の温度を適切に制御することが必要とされている。
【００１０】
また、危険物貯蔵庫内において、医薬品等の原料となる危険物を保管する場合、厚生労働省による「医薬品及び医薬部外品の製造管理及び品質管理の基準」、いわゆるGMP（Good Manufacturing Practice）省令を満たすように、危険物を保管・貯蔵する必要がある。
【００１１】
そこで、本発明の目的は、庫内の温度制御を可能とし、危険物の品質管理に適する危険物貯蔵庫を提供することにある。
【課題を解決するための手段】
【００１２】
本発明の危険物貯蔵庫の構成は、消防法で定められる危険物を貯蔵するための危険物貯蔵庫において、前記危険物を貯蔵するための第一の区画と、前記第一の区画と間仕切り壁を隔てて隣接した第二の区画とを備え、第二の区画は、間仕切り壁に設けられた通気口を介して第一の区画と通気可能に配置され、外部に設置される室外熱交換器との間で冷媒を循環させる室内熱交換器及び該室内熱交換器からの空気を前記通気口を介して第一の区画に送るファンを収容することを特徴とする。
【００１３】
好ましくは、通気口に防火ダンパーが設置される。また、通気口は間仕切り壁に二箇所に設けられ、通気口の一方は、通気口の他方より高い位置に設けられる。室内熱交換器は、第二の区画内で、通気口の一方より低く、通気口の他方よりも高い位置に設置され、室内熱交換器の上部にファンが設置される。
【００１４】
本発明の危険物貯蔵庫は、さらに、第一の区画内の温度を測定する温度センサと、温度センサにより測定される温度に基づいて、ファンの風量を制御する制御装置とを備えることを特徴とする。制御装置は、危険物貯蔵庫の外部に設置される筐体内に収容され、第一の区画内に設置された温度センサと有線接続又は無線接続する。
【００１５】
本発明の危険物貯蔵庫は、さらに、第一の区画を開閉する扉と、扉を施錠する電気錠と、所定の認証動作を実行し、認証結果に基づいて電気錠の施錠又は解錠操作を行う認証端末を備えることを特徴とする。認証結果及び電気錠の施錠及び解錠を記録する監視装置が筐体内に収容され、監視装置は、電気錠と認証端末と有線接続又は無線接続する。
【発明の効果】
【００１６】
本発明の危険物貯蔵庫によれば、庫内の温度を調節することを可能とし、危険物貯蔵庫内を適温に制御し、危険物貯蔵庫に保管される危険物を適切に品質管理をすることができる。
【図面の簡単な説明】
【００１７】
【図１】本発明の実施の形態における危険物貯蔵庫の全体構成を表す外観図である。
【図２】本発明の実施の形態における危険物貯蔵庫の全体構成を表す外観図である。
【図３】危険物貯蔵庫本体の上面からの矩計図である。
【図４】危険物貯蔵庫本体の正面からの矩計図である。
【図５】危険物貯蔵庫本体の右側面からの矩計図である。
【図６】危険物貯蔵庫の温度管理制御を含む危険物貯蔵庫の制御・監視処理にかかる機能ブロック図である。
【発明を実施するための形態】
【００１８】
以下、図面を参照して本発明の実施の形態について説明する。しかしながら、かかる実施の形態例が、本発明の技術的範囲を限定するものではない。
【００１９】
図１及び図２は本発明の実施の形態における危険物貯蔵庫の全体構成を表す外観図であり、図１（ａ）は正面図、図１（ｂ）は左側面図、図２（ａ）は右側面図、図２（ｂ）は背面図である。図３は危険物貯蔵庫本体の上面からの矩計図、図４は危険物貯蔵庫本体の正面からの矩計図、図５は危険物貯蔵庫本体の右側面からの矩計図を示す。
【００２０】
危険物貯蔵庫本体１には、後述するように、ヒートポンプ装置である空調設備が取り付けられており、ヒートポンプ装置は、いわゆるエアコンの冷房機能、暖房機能を実現する。ヒートポンプ装置を構成する室外器ユニット４０は、危険物貯蔵庫本体１の外部に設置される。室外機ユニット４０は、室外熱交換器と凝縮器を備えて構成される。ヒートポンプ装置を構成する室内熱交換器２２は、危険物貯蔵庫本体１の内部に設置され、室内熱交換器は、外部に設置される室外熱交換器との間で冷媒を循環させ、危険物貯蔵庫内部を設定温度になるよう制御される。室内熱交換器２２とファン２４によりヒートポンプ装置の室内機ユニットを構成する。さらに、危険物貯蔵庫本体１の外部には、ヒートポンプ装置を制御する制御装置を収容する屋外型筐体８０が設置される。
【００２１】
危険物貯蔵庫本体は、消防法で定められた危険物を保管・貯蔵するための第一の区画１０と、第一の区画１０と間仕切り壁３０を隔てて隣接した第二の区画２０とを有して構成される。間仕切り壁３０には、その上部と下部それぞれに通気口３２、３４が設けられ、第一の区画１０と第二の区画２０は通気口３２、３４を介して通気可能に配置される。
【００２２】
第二の区画２０は、室外機ユニット４０の室外熱交換器との間で冷媒を循環させる室内熱交換器２２と、その室内熱交換器２２からの空気を上側の通気口３２を介して第一の区画１０に送るファン２４とを収容する空間である。室外機ユニット４０の室外熱交換器と室内熱交換器２２との間は冷媒が循環するパイプで接続され、ヒートポンプ装置は、危険物貯蔵庫内部の温度・節度を調整する空調設備として機能する。室内熱交換器２２は、第二の区画２０内で、上部の通気口３２より低く、下部の通気口３４よりも高い位置に設置され、室内熱交換器２２の上部にファン２４が設置される。ファン２４を室内交換器２２に対して高さ方向上方に配置し、室内熱交換器２２を、下部通気口３４を通して下側から吸入し、上側に吐出する構成とすることで、第二の区画の床面積を必要最低限に抑え、第二の区画はコンパクト化される。
【００２３】
第一の区画１０の空気は、側壁３０の下部通気口３４から、第二の区画２０に引き込まれ、室内交換器２２の下側から吸引され、熱交換により温度調節された空気が室内熱交換器２２から上向きに吐出され、室内熱交換器２２から吐出された空気は、ファン２４により、上部の通気口３２を介して、第一の区画１０内に送り出される。これにより、危険物が保管・貯蔵されている第一の区画１０内の温度・湿度を制御することができる。通気口３２、３４には、防火ダンパーが設置され、間仕切り壁３０はいわゆる一時間耐火構造の基準を満たす。
【００２４】
第一の区画１０は、消防法で定められた危険物を保管・貯蔵するための空間であり、第一の区画１０と第二の区画２０に必要な床面積となるように、形状、幅及び奥行きの寸法を決め、軽量鉄骨（高耐食メッキ鋼材）の骨組みにより床面、支柱、天井のフレームが構成される。
【００２５】
第一の区画１０及び第二の区画２０の側面の外壁は、好ましくは、耐火性・断熱効果・強度に優れているケイ酸カルシウム板を３枚重ね、その３枚のケイ酸カルシウム板の間に断熱性能の高いロックウールを充填して形成され、さらに、不燃シートを挟む構成であってもよい。また、外壁の外側面と内側面にガルバリウム鋼板（登録商標）が張り付けられ、天井及び屋根も断熱・遮熱塗料で塗装されたガルバリウム鋼板で形成され、発泡性断熱材で裏打ちされる。空調の効率を高めるために外壁面や天井・屋根は高い断熱性を確保するよう施工される。
【００２６】
図示される構成では、第二の区画２０は、室内熱交換器２２とファン２４を収容可能な程度の広さであり、第一の区画１０よりも幅及び奥行きの寸法ともに小さく設計され、第一の区画１０と第二の区画２０を隔てる間仕切り壁３０は、強化石膏ボードを２枚重ね、その２枚の強化石膏ボードの間に断熱性能の高いロックウールを充填して形成され、さらに、不燃シートを挟む構成である。
【００２７】
危険物貯蔵庫の正面には、危険物の入った容器（ドラム缶など）を搬入・搬出程度の間口（例えば幅1600mm×高さ1950mm程度の広さ）を有する開口部が形成され、開口部は扉１１によって開閉される。扉１１は、例えばドア式のスチール製両開扉であるが、引き戸形態であってもよい。開口部の最低地上高さは、およそ400ｍｍ程度であり、作業者が出入りするための踏み段が扉１１の前に配置されている。第二の区画２０にも扉２１が取り付けられ、室内熱交換器２２及びファン２４などのメンテナンス作業のため、作業員が出入り可能となっている。
【００２８】
第一の区画１０の内部の照明には、防爆照明灯１２が備えられる。また、第４類の引火性液体を貯蔵する場合の要請として、危険物貯蔵庫は、換気設備として、内部に可燃性ガスがたまらないように、側面にカバーで覆われた外気取入口１３が設けられると共に、内部から外部に排気ダクト１４を導き、その先にベンチレータ（好ましくは回転式ベンチレータ）１５が設けられる。
【００２９】
図４に示されるように、危険物貯蔵庫の床を形成する床パネル５０は、軽量鉄骨をフレーム状に形成した土台５５上に設置され、土台５５及び床パネル５０とにより床構造体を構成する。
【００３０】
鉄骨骨組みの土台５５は、ボックス状の金属部材を溶接して、少なくとも枠（好ましくは、さらに格子を有する）形状に組み立てられる。土台５５上には、複数の所定位置に束５６が立てられ、溶接にて固定される。束５６も、土台５５と同様のボックス状の金属部材を短く切断して形成される。ボックス状の金属部材は、例えば、肉厚3.2mm×縦75mm×横75mmの寸法であり、束の高さは、例えば65mm程度である。土台５５の縦横寸法は、貯蔵庫の床寸法に応じて適宜決定される。
【００３１】
床パネル５０の床フレーム５１は、土台５５とほぼ同一の縦横寸法を有し、土台５５と同様に、ボックス状の金属部材を用いて、溶接により枠と格子を有する形状に組み立てられる。床パネル５０は、このフレーム状の床フレーム５１、床フレーム５１上に敷設されるシート５２、シート５２上に配置される鉄筋５３、及びシート５２上に鉄筋５３を覆うように打設される土間コンクリート５４を含んで構成される。
【００３２】
なお、ドラム缶などに第４類の引火性液体を貯蔵する場合は、貯蔵庫の床パネル１０の片隅にはドレン受け（溜め升）１６が設けられ、床パネル５０のコンクリート板５４は、そのドレン受け１６に向けて緩やかに下る勾配が設けられる。束５６の高さを調整することで、勾配が形成される。こうして、貯蔵している液体が床にこぼれた場合に、そのこぼれた液体がドレン受け１６に流れ込むようにする。そして、第４類の引火性液体を貯蔵する場合に必要な設備である排気ダクト１４の吸い込み口は、ドレン受け１６の直上に設けられ、ドレン受け１６から生じた可燃性ガスは直ちに排気ダクト１４から外に排出される。
【００３３】
土台５５は、地面に施工されたコンクリート基礎６０上に載置、固定される。コンクリート基礎６０は、危険物貯蔵庫の床面の形状、サイズに合わせて地面に打設され、地中に延びる鉄筋により地面に固定される。コンクリート基礎６０上には、アンカーボルトにより鋼板製の薄いベースプレートが載置、固定され、土台５５は、そのベースプレートを介してアジャスターボルトによりコンクリート基礎６０に固定される。コンクリート基礎に代わって、コンクリート版を地面に打設し、その上に土台５５を載置・固定する施工であってもよい。
【００３４】
図６は、危険物貯蔵庫の温度管理制御を含む危険物貯蔵庫の制御・監視処理にかかる機能ブロック図である。危険物貯蔵庫の第一の区画１０内の所定位置に、第一の区画１０内の温度を測定する温度センサ７０が設置される。設置位置は、好ましくは、第一の区画１０の上方であり、例えば、天井裏面や側壁上部である。温度センサ７０は防爆仕様のものが用いられる。
【００３５】
温度センサ７０に加えて、危険物貯蔵庫内の湿度を測定する湿度センサ７２が第一の区画１０内に設置される。湿度センサ７２も防爆仕様のものが用いられ、温度センサ７０の近傍に設置される。危険物貯蔵庫周囲の外気温を測定するための外気温センサ７１も設置される。
【００３６】
また、危険物貯蔵庫の扉１１には、防爆仕様の電気錠７３が取り付けられ、扉１１近傍の外壁面には、電気錠７３の施解錠を操作するための認証端末７４が取り付けられる。認証端末７４は、例えばIDカードによるID読み取りによる認証やテンキーによる暗証番号入力による認証などさまざまな認証手段を適宜採用可能である。図１では、IDカードを用いた認証動作を実行する認証端末７４としてのカードリーダ装置が示される。認証端末７４は、電気錠７３と電気的に接続され、認証端末７４による認証結果により、電気錠７３の施解錠が操作される。
【００３７】
温度センサ７０は、定期的（例えば１分毎）に測定した温度データ信号を制御装置７５及び記録装置７７に送信する。制御装置７５はコンピュータ装置であり、危険物倉庫の外部に設置される屋外型筐体８０内に収容されている。屋外型筐体８０の外観構成は、図１に示される。制御装置７５は、温度センサ７０及びファン２４など危険物貯蔵庫に設置されたさまざまな設備と有線接続または無線接続する。本実施の形態例では、有線接続する例を示し、温度センサ７０及びファン２４など危険物貯蔵庫内に設置された電気的な各種装置からの配線は、危険物貯蔵庫の外壁を貫通させ、危険物貯蔵庫の外壁に直付けされた配線中継器９０を介して外部に出され、危険物貯蔵庫の外部に設置された屋外型筐体８０内に収容される制御装置７５や記録装置７７と有線接続される。配線中継器９０は、配線を中継する端子装置を含む。
【００３８】
制御装置７５は、第一の区画１０内の温度が所定の設定温度になるように、ファン２４の風量を制御する。例えば、第一の区画１０内の温度が設定温度より高い場合は、ファンの風量２４をより大きくし、設定温度より低い場合は、ファン２４の運転を停止する又は風量をより小さくするよう制御する。危険物貯蔵庫内を一定温度に保ち、危険物の品質を劣化を防止することができる。
【００３９】
記録装置７７は、温度センサ７０、外気温センサ７１、湿度センサ７２、電気錠７３及び認証端末７４からのデータ信号を時刻とともに記録するデータロガーである。温度センサ７０、外気温センサ７１及び湿度センサ７２からの所定単位時間ごとの温度及び湿度のデータ、電気錠７３からの施錠及び解錠動作のデータ、認証端末７４からの認証結果のデータを記録する。制御装置７５により制御されるファン２４の風量データも記録する。こうして、危険物貯蔵庫内の環境を常時監視することができ、保管される危険物の品質管理を行うことができる。また、電気錠７３の施解錠認証の記録により危険物貯蔵庫に出入りする作業者を監視することができ、これらにより、医薬品及び医薬部外品の製造管理及び品質管理の基準（GMP（Good Manufacturing Practice）省令）に沿った管理が実現可能となる。
【００４０】
記録装置７７は、上述した温度・湿度や電気錠の施解錠、認証端末による認証結果に加えて、危険物貯蔵庫に設置されるさまざまな電気的設備の稼働状態を監視し、異常発生時には、警報などを発する。記録装置７７は、例えばモニタと接続し、各種設備の稼働状態がモニタに表示され、作業員による確認作業を可能とし、また、データの出力機能も有する。
【００４１】
本発明は、上記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００４２】
１：危険物貯蔵庫本体、１０：第一の区画、１１：扉、１２：防爆照明灯、１３：外気取入口、１４：排気ダクト、１５：ベンチレータ、１６：ドレン受け、２０：第二の区画、２１：扉、２２：室内熱交換器、２４：ファン、３０：間仕切り壁、４０：室外熱交換器、５０：床パネル、５１：床フレーム、５２：シート、５３：鉄筋、５４：土間コンクリート、５５：土台、５６：束、６０：コンクリート基礎、７０：温度センサ、７１：外気温センサ、７２：湿度センサ、７３：電気錠、７４：認証端末、７５：制御装置、７７：記録装置、８０：屋外型筐体、９０：配線中継器
【図１】
2020197078.tif 000003
【図２】
2020197078.tif 000004
【図３】
2020197078.tif 000005
【図４】
2020197078.tif 000006
【図５】
2020197078.tif 000007
【図６】
2020197078.tif 000008